(57)【要約】【課題】  従来の排水ポンプは、これを外部の固定部に取り付けるためのブラケットの共用化ができず、しかも水切り板などの部品が別途必要である。【解決手段】  吸込ポート２４および吐出ポート２６をそれぞれ有するケーシング２０と、このケーシング２０に連結されて当該ケーシング２０とで吸込ポート２４および吐出ポート２６に連通するポンプ室２１を画成するカバー２２と、ポンプ室２１内に回転自在に収容されたロータ２３と、このロータ２３に連結されてこれを駆動する駆動モータ１６とを具えた本発明によるポンプユニット１０は、このポンプユニット１０を外部の固定部１３に取り付けるための取り付け部１１ａと、ケーシング２０またはカバー２２が連結される連結部１１ｂとを有するブラケット１１をさらに具えている。【選択図】  図１
2006105102.tif 000002
【特許請求の範囲】
【請求項１】
吸込ポートおよび吐出ポートをそれぞれ有するケーシングと、
このケーシングに連結されて当該ケーシングとで前記吸込ポートおよび吐出ポートに連通するポンプ室を画成するカバーと、
前記ポンプ室内に回転自在に収容されたロータと、
前記ロータに連結されてこれを駆動する駆動モータと
を具えたポンプユニットであって、
このポンプユニットを外部の固定部に取り付けるための取り付け部と、前記ケーシングまたはカバーが連結される連結部とを有するブラケットをさらに具えていることを特徴とするポンプユニット。
【請求項２】
前記カバーと前記駆動モータとの間に前記ブラケットの連結部が配され、前記駆動モータに形成された取り付けフランジが前記カバーと共に前記ブラケットの連結部に連結されていることを特徴とする請求項１に記載のポンプユニット。
【請求項３】
前記ブラケットの連結部は、前記カバーと前記駆動モータとの間に介在してこれらを仕切る仕切り壁として機能し、前記駆動モータの回転軸が貫通する貫通穴を有することを特徴とする請求項１または請求項２に記載のポンプユニット。
【請求項４】
前記ブラケットは、前記連結部と前記取り付け部との間に形成されて前記駆動モータを囲む筒部をさらに有することを特徴とする請求項２または請求項３に記載のポンプユニット。
【請求項５】
前記ブラケットが耐蝕性を有する非磁性材料にて形成されていることを特徴とする請求項１から請求項４の何れかに記載のポンプユニット。
【請求項６】
前記カバーは、前記ブラケットの連結部および前記駆動モータの取り付けフランジを貫通してこれらを一体的に接合する接合部を有することを特徴とする請求項２から請求項５の何れかに記載のポンプユニット。
【請求項７】
前記接合部は、前記駆動モータの取り付けフランジに係止する溶着部を有することを特徴とする請求項６に記載のポンプユニット。
【請求項８】
請求項１から請求項７の何れかに記載のポンプユニットが排水ポンプユニットとして組み込まれた空気調和装置であって、
前記ケーシングおよび前記カバーが空気調和装置の筺体隔壁の内側に位置すると共に前記駆動モータが空気調和装置の筺体隔壁の外側に位置するように、前記ブラケットの取り付け部が筺体隔壁の固定部に取り付けられていることを特徴とする空気調和装置。
【請求項９】
前記ブラケットの取り付け部は前記筺体隔壁の固定部に対してガスケットを介して固定されることを特徴とする請求項８に記載の空気調和装置。
【発明の詳細な説明】
【技術分野】
【０００１】
本発明は、ポンプユニットおよびこのポンプユニットが組み込まれる空気調和装置に関し、特に静寂性が求められる排水ポンプユニットに応用して好適なものである。
【背景技術】
【０００２】
立軸形遠心ポンプは、羽根車の回転によってケーシング内に介在する液体を連れ回りさせ、これによって発生する遠心力を利用してケーシング外に液体を吐出する一方、これに応じて新たな液体をケーシング内に吸い込むようにしたものであり、例えば空気調和装置の排水ポンプなどとして利用されている。
【０００３】
空気調和装置においては、冷房運転中に発生する空気中の凝縮水を室外に排出するため、これをドレンパンに一時的に溜め、ここから排水ポンプを用いて室外に排出することが一般的に行われている。
【０００４】
このような排水ポンプとしては、特許文献１に開示されたようなものが周知である。この排水ポンプは、モータの上端部に取り付けられたブラケットを介して排水ポンプを外部の固定部に取り付けている。
【０００５】
また、特許文献２には、カバー内に位置するモータのスピンドルに水切り板を嵌着し、このスピンドルに連結された羽根車の回転によってポンプ室内の水の飛沫がスピンドルを介してモータの軸受側に入り込まないようにしている。
【０００６】
【特許文献１】実用新案登録第２５９２９７１号公報
【特許文献２】特開２００２−４８０９６号公報
【発明の開示】
【発明が解決しようとする課題】
【０００７】
特許文献１に開示された従来の排水ポンプにおいて、能力の異なるモータに交換する必要が生じた場合、ブラケットがモータの上端部に固定されているため、このブラケットが取り付けられる外部の固定部から排水ポンプの吸込口までの高さが変わってしまう。従って、排水ポンプに組み込まれるモータによって、寸法形状の異なるブラケットをその都度用意する必要があった。この場合、個々のモータに応じて制振特性などが最適となるようにブラケットの形状などを設計し直さなければならず、部品の共用化が困難で部品コストの増大を招く欠点があった。
【０００８】
同様に、特許文献２に開示された従来の排水ポンプにおいては、モータの防水性を考慮してスピンドルに水切り板などを装着する必要があり、部品点数の増大による重量増およびコスト上昇を招いている。
【０００９】
本発明の目的は、排水ポンプを外部の固定部に取り付けるためのブラケットの共用化が可能であって、しかも水切り板などの部品を不要とするポンプユニットおよびこのポンプユニットが搭載される空気調和装置を提供することにある。
【課題を解決するための手段】
【００１０】
本発明の第１の形態は、吸込ポートおよび吐出ポートをそれぞれ有するケーシングと、このケーシングに連結されて当該ケーシングとで前記吸込ポートおよび吐出ポートに連通するポンプ室を画成するカバーと、前記ポンプ室内に回転自在に収容されたロータと、前記ロータに連結されてこれを駆動する駆動モータとを具えたポンプユニットであって、このポンプユニットを外部の固定部に取り付けるための取り付け部と、前記ケーシングまたはカバーが連結される連結部とを有するブラケットをさらに具えていることを特徴とするものである。
【００１１】
本発明においては、外部の固定部に取り付けられるブラケットがケーシングまたはカバーに連結されており、駆動モータの寸法に拘らず外部の固定部からケーシングの吸込ポートおよび吐出ポートまでの距離が一定に保持される。
【００１２】
本発明の第１の形態によるポンプユニットにおいて、ブラケットの連結部をカバーと駆動モータとの間に配し、駆動モータに形成された取り付けフランジをカバーと共にブラケットの連結部に連結することができる。同様に、ブラケットの連結部がカバーと駆動モータとの間に介在してこれらを仕切る仕切り壁として機能し、駆動モータの回転軸が貫通する貫通穴をブラケットの連結部が有するものであってよい。これらの場合において、駆動モータを囲む筒部をブラケットの連結部と取り付け部との間に形成することができる。
【００１３】
耐蝕性を有する非磁性材料にてブラケットを形成することができる。
【００１４】
駆動モータとしてＡＣモータよりも振動が少なく、かつ小型軽量であって制御も容易なＤＣブラシレスモータを採用することができる。
【００１５】
ブラケットの連結部および駆動モータの取り付けフランジを貫通してこれらを一体的に接合する接合部をカバーに形成することができる。この場合、接合部が駆動モータの取り付けフランジに係止する溶着部を有するものであってよく、この溶着部を超音波溶着によって成形することができる。
【００１６】
本発明の第２の形態は、本発明の第１の形態によるポンプユニットが排水ポンプユニットとして組み込まれた空気調和装置であって、前記ケーシングおよび前記カバーが空気調和装置の筺体隔壁の内側に位置すると共に前記駆動モータが空気調和装置の筺体隔壁の外側に位置するように、前記ブラケットの取り付け部が筺体隔壁の固定部に取り付けられていることを特徴とするものである。
【００１７】
本発明においては、筺体隔壁の固定部に取り付けられるブラケットが駆動モータとケーシングおよびカバーとを仕切り、駆動モータの作動に伴って発生する振動や騒音がブラケットによって遮断される。
【００１８】
本発明の第２の形態による空気調和装置において、ブラケットの取り付け部をガスケットを介して筺体隔壁の固定部に固定することができる。
【発明の効果】
【００１９】
本発明のポンプユニットによると、ポンプユニットを外部の固定部に取り付けるための取り付け部と、ケーシングまたはカバーが連結される連結部とを有するブラケットを具えているので、ケーシングやカバーあるいはブラケットを異なる寸法のものに交換しない限り、外部の固定部に対するケーシングの吸込ポートおよび吐出ポートの相対位置が変化しないため、能力の異なる駆動モータに交換した場合であっても、ブラケットを交換する必要がなくなり、駆動モータの能力に拘らずブラケットの共用化を図ることができる。
【００２０】
ブラケットの連結部をカバーと駆動モータとの間に配し、駆動モータに形成された取り付けフランジをカバーと共にブラケットの連結部に連結した場合、ブラケットの連結部をカバーと駆動モータとの間の仕切り壁として機能させることができ、駆動モータの防水性を確保するための仕切り部材を別途設ける必要がなくなり、部品点数およびコストの削減が可能となる。
【００２１】
駆動モータを囲む筒部をブラケットの連結部と取り付け部との間に形成した場合、駆動モータの作動によって発生する振動や騒音の伝搬方向を規制することができる。
【００２２】
耐蝕性を有する非磁性材料にてブラケットを形成した場合、磁気的な悪影響を駆動モータに与えるような不具合を未然に防止することができる。特に、オーステナイト系ステンレス鋼を使用した場合、良好な耐蝕性を得ることができ、軽量なアルミニウムを使用した場合には発熱源である駆動モータに対する良好な放熱効果を得ることができ、樹脂ベースの材料を用いた場合には複雑であっても最適な形状のブラケットを容易に成形することが可能となり、適度な制振性を持たせることもできる。
【００２３】
ブラケットの連結部および駆動モータの取り付けフランジを貫通してこれらを一体的に接合する接合部をカバーに形成した場合、ブラケットの連結部を挟んでカバーと駆動モータとを接合部を介して一体的に連結することができる。特に、接合部が駆動モータの取り付けフランジに係止する溶着部を有する場合、部品点数の削減と相俟ってこれを一体化するための作業を極めて容易かつ迅速に行うことができる。また、溶着部の一部が取り付けフランジ側に入り込む領域を取り付けフランジに形成した場合、例えば取り付けフランジに形成された接合部の貫通穴の溶着部に面する開口端に面取り部を形成したり、ここを大径化して段付きにした場合、取り付けフランジに対する溶着部の緊密な係止効果を得ることができる。
【００２４】
本発明の空気調和装置によると、カバーおよびケーシングが空気調和装置の筺体隔壁の内側に位置すると共に駆動モータが空気調和装置の筺体隔壁の外側に位置するように、ブラケットの取り付け部を筺体隔壁の固定部に取り付けたので、駆動モータによって発生する振動や騒音をブラケットよって遮断することができ、特に高周波帯域の耳障りな騒音を筺体隔壁の内側に伝搬させにくくすることが可能である。
【００２５】
ブラケットの取り付け部をガスケットを介して筺体隔壁の固定部に固定した場合、駆動モータの作動によって発生する振動を軽減させることができる。
【発明を実施するための最良の形態】
【００２６】
本発明によるポンプユニットを空気調和装置に組み込まれる排水ポンプユニットに応用した実施形態について、図１〜図１６を参照にしながら詳細に説明するが、本発明はこれらの実施例のみに限らず、これらをさらに組み合わせたり、この明細書の特許請求の範囲に記載された本発明の概念に包含されるあらゆる変更や修正が可能であり、従って本発明の精神に帰属する他の任意の技術にも当然応用することができる。
【００２７】
本実施形態における排水ポンプユニットの取り付け状況を図１に示し、その矢視II部を抽出拡大して図２に示す。すなわち、本実施形態における排水ポンプユニット１０は、そのブラケット１１を介して空気調和装置の筺体隔壁１２に形成された固定部１３に取り付けられている。固定部１３と矩形の板状をなすブラケット１１との間には、防振機能とシール機能とを併せ持つガスケット１４が挟み込まれ、固定部１３にねじ込まれる取り付けねじ１５によってブラケット１１の取り付け部１１ａが筺体隔壁１２の固定部１３にねじ止めされた状態となっている。後述するロータを駆動するための駆動モータ１６が筺体隔壁１２の外側に位置するように、駆動モータ１６がブラケット１１の連結部１１ｂに搭載されている。駆動モータ１６の作動を制御するための制御盤１７が筺体隔壁１２の外側に設置され、この制御盤１７と駆動モータ１６に取り付けられたコネクタ１８とがケーブル１９を介して連結されている。
【００２８】
なお、本実施形態における駆動モータ１６のコネクタ１８は、図４中の二点鎖線で示すような位置に配置することも可能となっており、ケーブル１９の接続作業性や他の部材との干渉を考慮して適宜選択することができる。また、このコネクタ１８が駆動モータ１６と同様に筺体隔壁１２の外側に配置されているため、耐水性を考慮する必要のない安価な非防水構造のものを採用することができる。さらに、本実施形態におけるブラケット１１は、後述する駆動モータ１６の作動に悪影響を与えないオーステナイト系ステンレス鋼やアルミニウムなどの非磁性体にて形成されている。
【００２９】
この排水ポンプユニット１０の主要部分の内部構造を図３に示し、その平面形状，底面形状をそれぞれ図４，図５に示し、そのカバーの部分の側面形状および底面形状をそれぞれ図６，図７に示し、図３中のVIII−VIII，IX−IX矢視断面構造をそれぞれ図８，図９に示し、ロータの部分の外観を図１０に示し、その底面形状を図１１に示す。すなわち、本実施形態における排水ポンプユニット１０は、筒状の側壁部２０ａと円錐状の底壁部２０ｂとを有するケーシング２０と、このケーシング２０の側壁部２０ａの上端部に連結されて当該ケーシング２０とでポンプ室２１を形成するカバー２２と、このポンプ室２１内に収容されるロータ２３と、このロータ２３に連結されてこれを回転させる駆動モータ１６と、カバー２２と駆動モータ１６との間に組み込まれてこれらを仕切る前述のブラケット１１とを具えている。本実施形態では空気調和装置の筺体隔壁１２の外側に配される駆動モータ１６と、筺体隔壁１２の内側に配されるカバー２２およびケーシング２０を仕切るように、ブラケット１１を筺体隔壁１２の固定部１３に取り付けているため、カバー２２と駆動モータ１６との間に駆動モータ１６の軸受部分を保護するための水切板を設ける必要がなくなるばかりか、能力が異なる駆動モータを使用するような場合であっても、排水ポンプユニット１０としては単に駆動モータ１６を交換するだけで良く、ブラケット１１などの交換が全く不要となる利点をも有する。
【００３０】
なお、本実施形態ではＤＣブラシレスモータを駆動モータ１６として採用しており、振動の大きなＡＣモータよりも大幅な小型軽量化が可能であり、その駆動制御も容易である。ＤＣモータの欠点である高周波振動は、空気調和装置の筺体隔壁１２とブラケット１１の取り付け部１１ａとの間に上述したガスケット１４を介装することにより確実に遮断することができる。
【００３１】
本実施形態では、ケーシング２０の底壁部２０ｂを中央部が下向きに窪んだ円錐状に設定しているが、底壁部２０ｂを水平面と平行ないわゆる平底状に設定しても何ら問題はない。このケーシング２０には、底壁部２０ｂの中央から下向きに突出し、ポンプ室２１内に連通する本発明の吸込ポートとしての吸込通路２４を形成する吸込管２５と、側壁部２０ａからロータ２３の半径方向外側に突出し、ポンプ室２１内に臨む吐出ポート２６が開口する吐出管２７とが一体的に形成されている。吸込管２５は、図３中、二点鎖線で示す空気調和装置のドレンパン２８内に位置決めされ、このドレンパン２８内に溜まる凝縮水の中にほぼ没する状態となる。また、吐出管２７には先端部が空気調和装置の筺体隔壁１２の外に導き出されるドレン管２９の基端部が連結されている。
【００３２】
なお、本実施形態では吐出管２７の内径を下流側ほど太くしてポンプ室２１に臨む吐出ポート２６を絞った状態にしているが、吐出管２７の外径を一定にしてドレン管２９を嵌合する際の作業性およびこれらの間でのシール性を確保できるように配慮している。このため、吐出管２７の肉厚が基端側ほど厚くなるけれども、本実施形態では吐出管２７の外周部に肉抜き処理を施し、これによって吐出管２７の高剛性化および軽量化も同時に達成している。吐出管２７に対するドレン管２９の嵌合の容易性およびシール性を確保することができさえすれば、吐出管２７の外周に形成される肉抜きは、どのような形態および形状であってもよい。
【００３３】
樹脂の成形品であるカバー２２の下部外周には、上向きに半径方向外側へと突出する複数（図示例では４個）の係止爪３０が円周方向に沿って等間隔に形成されており、これらの係止爪３０をそれぞれ係止し得る半径方向に弾性変形可能な枠状をなす爪ホルダ３１がケーシング２０の側壁部２０ａの外周に設けられ、ケーシング２０に対してカバー２２を上方から押し込むことにより、係止爪３０が爪ホルダ３１に対してスナップ止めされるようになっている。このため、ケーシング２０とカバー２２とを極めて容易に一体化することができ、しかもカバー２２に対するケーシング２０の相対回転位置を選択することが可能であり、図５中の二点鎖線で示すように、他の部材の配置などに合わせて吐出管２７の向きを４方向の何れかに変更することができるようになっている。本実施形態では、爪ホルダ３１を枠状に形成することにより、係止爪３０が爪ホルダ３１に対して係止した状態においてケーシング２０に対するカバー２２の回転を拘束することが可能であり、爪ホルダ３１が半径方向に僅かに弾性変形しさえすれば、ガラス繊維や無機物のウィスカなどを混入した硬質複合樹脂材料にてケーシング２０および爪ホルダ３１を成形することができ、ケーシング２０を高強度に設計することができる。
【００３４】
カバー２２の上端外周には、ブラケット１１の連結部１１ｂおよび駆動モータ１６に形成された取り付けフランジ１６ａをそれぞれ貫通する複数本（図示例では４本）の連結ピン３２が突設されており、この連結ピン３２の上端を溶融してかしめ部３２ａを形成することにより、カバー２２とブラケット１１の連結部１１ｂおよび駆動モータ１６とを一体的に接合している。連結ピン３２の上端に形成されるかしめ部３２ａは、超音波溶着などの技術を利用することが可能であり、その形状は駆動モータ１６およびブラケット１１が容易に抜け外れないような形状でありさえすれば良い。
【００３５】
カバー２２の底板３３中央には、上面が塞がった円筒形断面を有するボス部３４が上向きに形成され、さらにこのボス部３４を囲む半円弧状をなす一対のスペーサ３５が突設されている。ボス部３４は、その中央に位置して駆動モータ１６のスピンドル１６ｂが貫通する穴３４ａと、その外周部に位置してポンプ室２１内を大気圧に保つための複数（図示例では４つ）のスリット３４ｂとが形成されている。スペーサ３５の上端はブラケット１１の連結部１１ｂに当接する。隣接するスペーサ３５の間の空隙３５ａは、カバー２２の外周縁に形成された一対のラビリンス構造を有する空隙２２ａと共に大気連通路を形成する。本実施形態では、隣接するスペーサ３５の間の空隙３５ａとカバー２２の外周縁に形成された一対の空隙２２ａとの回転位相をほぼ９０度ずらすことにより、ポンプ室２１からスリット３４ｂおよび空隙３５ａ，２２ａを介して排水ポンプユニット１０の外につながる大気連通路を大きく屈曲させ、ポンプ室２１内で発生する直進性の高い高周波（１０００Ｈz以上）の騒音に対して大きな消音効果が得られるように配慮している。
【００３６】
なお、駆動モータ１６を停止した場合、ドレン管２９から吐出ポート２６を介してポンプ室２１側に逆流する排水の一部がスリット３４ｂから溢流するけれども、本実施形態ではロータ２３の回転方向（図７中、左回転方向）とは逆向き、つまり図７中、時計回りの接線方向に沿ってスリット３４ｂをボス部３４に形成しているため、スリット３４ｂから溢れ出る排水の量を低減させることができる。
【００３７】
ポンプ室２１側に臨むカバー２２の底板３３の外周縁部には、ケーシング２０の側壁部２０ａとの間に環状の空隙３６を形成する筒状の仕切り壁３７がケーシング２０の底壁部２０ｂに向けて下向きに突設されている。従って、ポンプ室２１の上部周縁に位置する凝縮水は仕切り壁３７の存在によって下向きに流れ、仕切り壁３７の下端とケーシング２０の底壁部２０ｂとの間の隙間３８を通って環状の空隙３６から吐出ポート２６内へ導かれる結果、ポンプ室２１の上部周縁に介在する気泡が吐出ポート２６側に流れ込むのを阻止することができる。つまり、本実施形態における仕切り壁３７は、ポンプ室２１の上部周縁に介在する気泡が吐出ポート２６側に流れ込むのを抑制するためのものであるので、本実施形態のようにカバー２２の全周を亙って形成する必要はない。しかしながら、吐出ポート２６と対向する位置にのみ仕切り壁３７を形成した場合には、この仕切り壁３７の吐出ポート２６よりも上流側をケーシング２０の側壁部２０ａの内周面に近接させておき、ポンプ室２１内を流動する気泡を含む凝縮水が環状の空隙３６内に直接流入しないようにすることが必要である。また、この仕切り壁３７の下端部は凝縮水の円滑な流れを妨げないように、その断面形状が半円状などの曲面にて形成されていることが好ましい。
【００３８】
なお、ケーシング２０とカバー２２の仕切り壁３７との間にはＯリング３９が装着され、ケーシング２０およびカバー２２の嵌合部分から凝縮水が外部に漏出しないように配慮している。
【００３９】
本実施形態におけるロータ２３は、駆動モータ１６のスピンドル１６ｂが連結される筒状の接続部４０ａを上端部に有するロータ軸４０と、このロータ軸４０から放射状に突出する複数本（図示例では４本）のステー４１と、これらステー４１を介してロータ軸４０に対して一体的に連結される円環状をなす主板４２と、この主板４２の表面、つまり上面側からロータ軸４０の軸線とほぼ平行に突出する多数本のピン４３と、これらピン４３と共に主板４２に形成されてその表面側と裏面、つまり下面側とを連通する多数個の連通孔４４と、ロータ軸４０の下端から当該ロータ軸４０の軸線に沿って突出し、吸込通路２４内に位置する攪拌部材４５とを具えている。
【００４０】
主板４２はロータ軸４０に対して同心状をなしており、その内周面とロータ軸４０の外周面との間に上述した連通孔４４と共に本発明の均圧部として機能する空隙４６が形成されている。上述したステー４１は、この空隙４６を横切った状態となってロータ軸４０と主板４２とを連結している。また、本実施形態では主板４２の円周方向にほぼ沿った第１の方向（図９中、左右方向）およびこれと直交する方向にピン４３および連通孔４４がそれぞれ交互に配列する第１の配列グループＡと、第１の方向に対して４５度傾斜した方向およびこれと直交する方向にピン４３および連通孔４４がそれぞれ交互に配列する第２の配列グループＢとを主板４２の円周方向に沿って交互に４組ずつ形成している。個々のピン４３は、ロータ軸４０の軸線に対して垂直な平面で切った断面形状がほぼ正方形となる正四角柱状をなし、その四隅の稜部に丸みを持たせることにより、水掻き音が極力少なくなるように配慮している。さらに、攪拌部材４５は、ロータ軸４０の軸線に対して垂直な断面形状が十文字状となるような４枚の羽根板４５ａを有する。
【００４１】
このような構成を持つ排水ポンプユニット１０の駆動モータ１６が作動を始めると、吸込通路２４内に介在する凝縮水が攪拌部材４５の回転によって攪拌され、その粘性によって次第に攪拌部材４５と共に吸込通路２４内で旋回し始める。吸込通路２４内での凝縮水の旋回に伴って発生する遠心力により、その水面が凹状の立体放物曲面を描きながら吸込通路２４の上端を越えてポンプ室２１の底壁部２０ｂへとせり上がり、さらに主板４２およびピン４３が凝縮水で浸された状態となる。このようにしてポンプ室２１内に入って来る凝縮水は、回転するロータ２３の主板４２およびピン４３によってさらに高速で旋回し、凝縮水の一部がケーシング２０の底壁部２０ｂとカバー２２の仕切り壁３７の下端との隙間を通って環状の空隙３６から吐出ポート２６へと排出される。この凝縮水の排出に伴ってドレンパン２８内の新たな凝縮水が吸込通路２４内に吸い込まれ、連続的にドレンパン２８内の凝縮水が吐出ポート２６からドレン管２９を介して外部に排出される。この場合、ロータ２３の回転数とその最大径、つまり主板４２の外径とによってロータ２３の径方向中心側と径方向外側端との圧力差が決まるため、この排水ポンプユニット１０の締切揚程も自ずと決まるが、その排水量は主板４２の回転方向に対して垂直な面に投影したピン４３の面積によって左右されることとなる。
【００４２】
排水ポンプユニット１０の作動中においては、ロータ２３のピン４３が凝縮水の旋回速度よりも高速で回転しているため、その周囲に介在する凝縮水は、静止中のピン４３に対して凝縮水がポンプ室２１内を旋回していると見なした場合、ピン４３の外周を巻くようにして比較的滑らかに後方に流下する状態となる。つまり、従来のように羽根車の回転方向に対してほぼ直交する広い面を持った抵抗の大きな羽根板を使用していないため、たとえロータ２３の最外周側に位置するピン４３であっても、その旋回方向の後側にはキャビテーションがほとんど発生せず、キャビテーションに起因する騒音を大幅に低減させることができる。特に、本実施形態ではピン４３および連通孔４４の第１の配列グループＡによって形成される凝縮水の流動方向は、その流動状態を模式的に表す図１２に示すように、半径方向に対してほぼ４５度傾斜した方向となり、凝縮水に対して比較的大きな運動エネルギーを与えるのに対し、第２の配列グループＢによって形成される凝縮水の流動方向は、その流動状態を模式的に表す図１３に示すように、ほぼ主板４２の円周方向となって凝縮水に対し比較的小さな運動エネルギーを与え、これら２種類の凝縮水の流動によって消泡効果をより一層高めることができる。また、吸込管２５内での凝縮水の旋回周速度は、ポンプ室２１内での凝縮水の旋回周速度よりも相当遅いため、攪拌部材４５が抵抗の大きな羽根板４５ａであっても、ここでキャビテーションが発生するような不具合は生じない。また、排水ポンプユニット１０の始動時および低揚程時においても、カバー２２に形成された仕切り壁３７の存在により、吐出ポート２６側に排出される凝縮水に気泡が混入するのを阻止でき、気泡が吐出ポート２６側に排出される際の騒音をなくすことができる。
【００４３】
主板４２の外周をロータ軸４０の軸線を中心とする完全な円形にする必要はなく、またロータ軸４０の軸線に対して垂直な面で切ったピン４３の断面形状が上述した実施形態の如き略正方形状以外、種々の形状のものを採用することが可能である。
【００４４】
上述した実施形態では、個々のピン４３の上端が同一水平面上に位置するように、個々のピン４３の高さを設定したが、ロータ２３の回転中においてはポンプ室２１内の凝縮水の水面がすり鉢状に変位し、ロータ軸４０に近い内周側のピン４３の上部が水面から露出して凝縮水を攪拌できなくなる。そこで、本発明によるロータ２３の別な実施形態の主要部の断面構造を表す図１４に示すように、ポンプ室２１内に形成される凝縮水の旋回水面（図中、二点鎖線で示す）の高さに応じてロータ軸４０から遠いピン４３ほどその高さを高く設定し、半径方向に配列するピン４３の機能を最大限に発揮させることが有効である。あるいは、同じような効果を得るため、主板４２の回転方向に対して垂直な面に投影したピン４３の面積がロータ軸４０の半径方向内側に位置するピン４３ほど小さく設定することによっても対処可能である。具体的には、例えば図１５に示すように、ロータ軸４０２７に近いピン４３ほどそのテーパ角θが大きくなるような先細りのテーパ状に形成することなどが可能である。
【００４５】
上述した実施形態では、ピン４３を主板４２の表面側から上方に突出させているが、主板４２の裏面からピン４３を下向きに突出させるようにしてもよい。このような本発明による排水ポンプユニット１０の他の実施形態の概略構造を図１６に示すが、先の実施形態と同一機能の要素にはこれと同一符号を記すに止め、重複する説明は省略するものとする。すなわち、本実施形態におけるロータ２３は、カバー２２の底板３３に近接するように主板４２が形成され、この主板４２の裏面から多数のピン４３がケーシング２０の底壁部２０ｂに向けて突出している。個々のピン４３は、ロータ軸４０に近いピン４３ほど外径が小さくなるような小径部４３ａを下端側に有する段付きに形成しており、主板４２の裏面から突出するこれらピン４３の小径部４３ａの太さは、ロータ２３の径方向内周側に位置するピン４３側ほど細く設定している。本実施形態の場合、カバー２２の底板３３に近接して配された主板４２により、ポンプ室２１内に吸引される凝縮水に対してより大きな整流効果を得ることができる。また、ブラケット１１の取り付け部１１ａと連結部１１ｂとの間には、駆動モータ１６を囲む筒部１１ｃが形成されており、これによって駆動モータ１６にて発生する騒音の伝播方向を規制することができる。
【００４６】
なお、ピン４３や連通孔４４を上述した実施形態のような配列グループＡ，Ｂのように整列させず、主板４２にランダムに形成したり、あるいはピン４３を主板４２の表裏両面から突出させることも可能である。同様に、主板４２をケーシング２０の円錐状をなす底壁部２０ｂと平行となるように円錐状に形成してもよい。さらに、ロータ２３自体は従来から周知のものを採用することも可能である。
【図面の簡単な説明】
【００４７】
【図１】本発明によるポンプユニットを空気調和装置用排水ポンプユニットに応用した一実施形態の取り付け状況を表す概念図である。
【図２】図１中の矢視II部の抽出拡大断面図である。
【図３】図１に示した実施形態における排水ポンプユニットの概略構造を表す縦断面図である。
【図４】図３に示した排水ポンプユニットの平面図である。
【図５】図３に示した排水ポンプユニットの底面図である。
【図６】図３に示した排水ポンプユニットにおけるカバーの部分の側面図である。
【図７】図６に示したカバーの底面図である。
【図８】図３中のVIII−VIII矢視断面図である。
【図９】図３中のIX−IX矢視断面図である。
【図１０】図３に示した排水ポンプユニットにおけるロータの外観を表す立体投影図である。
【図１１】図１０に示したロータの裏面図である。
【図１２】図１３と共に図１０に示したロータにおける第１の配列グループによる流体の流動方向を模式的に示す概念図である。
【図１３】図１２と共に図１０に示したロータにおける第２の配列グループによる流体の流動方向を模式的に示す概念図である。
【図１４】本発明によるロータを図３に示した排水ポンプユニットのロータに応用した他の実施形態の縦断面図である。
【図１５】本発明によるロータを図３に示した排水ポンプユニットのロータに応用した別な実施形態の縦断面図である。
【図１６】本発明によるポンプユニットを図３に示す排水ポンプユニットに応用した他の実施形態の概略構造を表す縦断面図である。
【符号の説明】
【００４８】
１０  排水ポンプユニット
１１  ブラケット
１１ａ  取り付け部
１１ｂ  連結部
１１ｃ  筒部
１２  筺体隔壁
１３  固定部
１４  ガスケット
１５  取り付けねじ
１６  駆動モータ
１６ａ  取り付けフランジ
１６ｂ  スピンドル
１７  制御盤
１８  コネクタ
１９  ケーブル
２０  ケーシング
２０ａ  側壁部
２０ｂ  底壁部
２１  ポンプ室
２２  カバー
２２ａ  空隙
２３  ロータ
２４  吸込通路
２５  吸込管
２６  吐出ポート
２７  吐出管
２８  ドレンパン
２９  ドレン管
３０  係止爪
３１  爪ホルダ
３２  連結ピン
３２ａ  かしめ部
３３  底板
３４  ボス部
３４ａ  穴
３４ｂ  スリット
３５  スペーサ
３５ａ  空隙
３６  空隙
３７  仕切り壁
３８  隙間
３９  Ｏリング
４０  ロータ軸
４０ａ  接続部
４１  ステー
４２  主板
４３  ピン
４３ａ  小径部
４４  連通孔
４５  攪拌部材
４５ａ  羽根板
４６  空隙
Ａ  第１の配列グループ
Ｂ  第２の配列グループ
θ  ピンのテーパ角
【図１】
2006105102.tif 000003
【図２】
2006105102.tif 000004
【図３】
2006105102.tif 000005
【図４】
2006105102.tif 000006
【図５】
2006105102.tif 000007
【図６】
2006105102.tif 000008
【図７】
2006105102.tif 000009
【図８】
2006105102.tif 000010
【図９】
2006105102.tif 000011
【図１０】
2006105102.tif 000012
【図１１】
2006105102.tif 000013
【図１２】
2006105102.tif 000014
【図１３】
2006105102.tif 000015
【図１４】
2006105102.tif 000016
【図１５】
2006105102.tif 000017
【図１６】
2006105102.tif 000018